(57)【要約】【課題】封筒付冊子において、封筒部分を設けた用紙の説明文等の掲載スペースを狭めることなく、封筒部分を切り取った後も冊子としての見栄えがよく、切り取った封筒部分に折り目を付けることなく封緘できるようにする。【解決手段】第１の折り線６ａ、ミシン目状の第１の切り取り線７ａ及び第２の折り線６ｂが順次設けられて第１の切り取り線７ａを介して封筒５が設けられた表紙２、３と、第１の折り線６ａに沿って表紙３に貼着された用紙４からなる封筒付冊子１であって、表紙２、３は、第１の折り線６ａから２つ折りされ、封筒５は、第２の折り線６ｂから表紙３の内側に折り重ねられている。【選択図】図１
2015100928.tif 000002
【特許請求の範囲】
【請求項１】
第１の折り線、ミシン目状の第１の切り取り線及び第２の折り線が順次設けられて該第１の切り取り線を介して封筒部分が設けられた表紙と、前記第１の折り線に沿って前記表紙に貼着された用紙からなる封筒付冊子であって、
前記表紙は、前記第１の折り線から２つ折りされ、
前記封筒部分は、前記第２の折り線から前記表紙の内側に折り重ねられたこと
を特徴とする封筒付冊子。
【請求項２】
第１の折り線が設けられた表紙と、ミシン目状の第１の切り取り線及び第２の折り線が順次設けられて該第１の切り取り線を介して封筒部分が設けられ、前記第１の折り線に沿って前記表紙に貼着された用紙からなる封筒付冊子であって、
前記表紙は、前記第１の折り線から２つ折りされ、
前記封筒部分は、前記第２の折り線から前記用紙の面に折り重ねられたこと
を特徴とする封筒付冊子。
【請求項３】
前記封筒付冊子を構成する各頁の横幅は略同じであり、前記第１の切り取り線と前記第２の折り線により区画される領域が前記封筒部分の糊代となることを特徴とする請求項１又は請求項２に記載した封筒付冊子
【請求項４】
前記用紙にミシン目状の第２の切り取り線を設けたことを特徴とする請求項１又は請求項３に記載した封筒付冊子。
【請求項５】
前記表紙にミシン目状の第２の切り取り線を設けたことを特徴とする請求項２又は請求項３に記載した封筒付冊子。
【請求項６】
前記用紙は、第３の折り線が設けられて該第３の折り線から２つ折りされたことを特徴とする請求項１、請求項３又は請求項４に記載した封筒付冊子。
【発明の詳細な説明】
【技術分野】
【０００１】
本発明は、金融、保険サービス等の案内申込書、商品等の購入説明書等の各種パンフレットに用いる封筒付冊子に関するものである。
【背景技術】
【０００２】
近年、金融、保険サービス等の案内申込書や商品等の購入説明書等においては、サービス内容や商品の説明が記載されると共に、そのサービスを受けたい者やその商品を購入したい者のために、サービス申込書や商品購入書となる記入欄が設けられている。そして、このような案内申込書や購入説明書は、記入したサービス申込書や商品購入書を郵送するための封筒部分が付設された封筒付冊子とされる場合も多い。
【０００３】
実公昭６０−２１２５１号公報（特許文献１）や特開平７−２３７３７３号公報（特許文献２）には、上記のような封筒付冊子の例が示されている。
【０００４】
図２５、図２６は、特許文献１に示された封筒付冊子４０を表したもので、図２５は、封筒付冊子４０の平面図、図２６は、封筒付冊子４０を正面から見た状態を模式的に表した説明図である。この封筒付冊子４０においては、印刷が施された用紙４１の左側部分が折り返されて、その重なり部分の上端部と下端部が接着剤４２で貼着されて封筒部４３が切り取り可能に形成され、用紙４１の右側部分には、複数の用紙４５が接着剤４４で貼着されている。
【０００５】
図２７、図２８は、特許文献２に示された２つ折りの封筒付冊子５０を表したもので、図２７は、封筒付冊子５０を開いた状態の平面図、図２８は、開いた封筒付冊子５０を正面から見た状態を模式的に表した説明図である。この封筒付冊子５０においては、印刷が施された表紙５１の右側部分が折り返されて、その重なり部分の上端部と下端部が接着剤５２で貼着されて封筒５３が分離可能に形成され、表紙５１の左側部分には、複数の申込用紙５４が接着剤５５で分離可能に貼着され、さらに説明事項記載片となる複数の用紙５６が接着剤５７で表紙５１に貼着されている。
【０００６】
しかしながら、上記のような従来の封筒付冊子においては、用紙の左右端の一方を単に折り返して封筒部分を形成しているため、説明文等を掲載するスペースが封筒の領域に取られて狭くなり、封筒部分を切り取った後は、封筒部分が設けられていた用紙の横幅が他の用紙の横幅より極端に短くなり、特に表紙に封筒部分を設けていた場合は、説明用の冊子として見栄えが悪くなるという問題が生じていた。また、切り取った封筒部分を封筒として使用する場合は、糊代となる部分に折り目を付けて封緘しなければならないという問題も生じていた。
【先行技術文献】
【特許文献】
【０００７】
【特許文献１】実公昭６０−２１２５１号公報
【特許文献２】特開平７−２３７３７３号公報
【発明の概要】
【発明が解決しようとする課題】
【０００８】
本発明が解決しようとする課題は、封筒付冊子において、封筒部分を設けた用紙の説明文等の掲載スペースを狭めることなく、封筒部分を切り取った後も冊子としての見栄えがよく、切り取った封筒部分に折り目を付けることなく封緘できるようにすることである。
【課題を解決するための手段】
【０００９】
本発明は、第１の折り線、ミシン目状の第１の切り取り線及び第２の折り線が順次設けられて該第１の切り取り線を介して封筒部分が設けられた表紙と、前記第１の折り線に沿って前記表紙に貼着された用紙からなる封筒付冊子であって、前記表紙は、前記第１の折り線から２つ折りされ、前記封筒部分は、前記第２の折り線から前記表紙の内側に折り重ねられたことを特徴とする封筒付冊子を提供して、上記課題を解決するものである。
【００１０】
また、本発明は、第１の折り線が設けられた表紙と、ミシン目状の第１の切り取り線及び第２の折り線が順次設けられて該第１の切り取り線を介して封筒部分が設けられ、前記第１の折り線に沿って前記表紙に貼着された用紙からなる封筒付冊子であって、前記表紙は、前記第１の折り線から２つ折りされ、前記封筒部分は、前記第２の折り線から前記用紙の面に折り重ねられたことを特徴とする封筒付冊子を提供して、上記課題を解決するものである。
【発明の効果】
【００１１】
本発明の封筒付冊子においては、表紙に第１の折り線、ミシン目状の第１の切り取り線及び第２の折り線が順次設けられて該第１の切り取り線を介して封筒部分が設けられ、前記封筒部分は、前記第２の折り線から前記表紙の内側に折り重ねられているため、前記封筒部分によって表紙の説明文等の掲載スペースが狭められることなく、前記第１の切り取りから封筒部分を切り取った後も、表紙の横幅が他の用紙の横幅より極端に短くならずに見栄えを損なうことなく、前記封筒部分において、前記第２の折り線が折り目となるため、折り目を付けることなく前記封筒部分の封緘ができるという効果を奏する。
【００１２】
また、本発明の封筒付冊子においては、表紙に貼着される用紙にミシン目状の第１の切り取り線及び第２の折り線が順次設けられて該第１の切り取り線を介して封筒部分が設けられ、前記封筒部分は、前記第２の折り線から前記用紙の面に折り重ねられているため、前記封筒部分によって用紙の説明文等の掲載スペースが狭められることなく、前記第１の切り取りから封筒部分を切り取った後も、用紙の横幅が他の用紙の横幅より極端に短くならずに見栄えを損なうことなく、前記封筒部分において、前記第２の折り線が折り目となるため、折り目を付けることなく前記封筒部分の封緘ができるという効果を奏する。
【図面の簡単な説明】
【００１３】
【図１】実施例１の封筒付冊子１の構成を説明するための斜視図である。
【図２】封筒付冊子１を折り重ねた状態を正面から見た状態を模式的に表した説明図である。
【図３】封筒付冊子１の表紙２を開いた状態の平面図である。
【図４】図３に示す封筒付冊子１を正面から見た状態を模式的に表した説明図である。
【図５】表紙２、用紙４及び封筒５を開いた状態の平面図である。
【図６】図５に示す封筒付冊子１を正面から見た状態を模式的に表した説明図である。
【図７】図５のＸＸ断面図である。
【図８】封筒付冊子１を製造するための用紙に施す加工の種類と位置を表した説明図である。
【図９】実施例２の封筒付冊子１１の構成を説明するための斜視図である。
【図１０】封筒付冊子１１を折り重ねた状態を正面から見た状態を模式的に表した説明図である。
【図１１】封筒付冊子１１の表紙１２及び封筒１５を開いた状態の平面図である。
【図１２】図１１に示す封筒付冊子１１を正面から見た状態を模式的に表した説明図である。
【図１３】図１１のＹＹ断面図である。
【図１４】封筒５を折り畳んで用紙４を開いた状態の平面図である。
【図１５】第１４図に示す封筒付冊子１１を正面から見た状態を模式的に表した説明図である。
【図１６】封筒付冊子１１を製造するための用紙に施す加工の種類と位置を表した説明図である。
【図１７】実施例３の封筒付冊子２１の構成を説明するための斜視図である。
【図１８】封筒付冊子２１を折り重ねた状態を正面から見た状態を模式的に表した説明図である。
【図１９】封筒付冊子２１の表紙２２、用紙２４ａ及び用紙２４ｃとを開いた状態の平面図である。
【図２０】図１９に示す封筒付冊子２１を正面から見た状態を模式的に表した説明図である。
【図２１】表紙２２、用紙２４ｂ、２４ｃ及び封筒２５を開いた状態の平面図である。
【図２２】図２１に示す封筒付冊子２１を正面から見た状態を模式的に表した説明図である。
【図２３】図２１のＺＺ断面図である。
【図２４】封筒付冊子２１を製造するための用紙に施す加工の種類と位置を表した説明図である。
【図２５】特許文献１に示された封筒付冊子４０の平面図である。
【図２６】封筒付冊子４０を正面から見た状態を模式的に表した説明図である。
【図２７】特許文献２に示された２つ折りの封筒付冊子５０を開いた状態の平面図である。
【図２８】開いた封筒付冊子５０を正面から見た状態を模式的に表した説明図である。
【発明を実施するための形態】
【００１４】
以下、実施例１〜３に基づいて本発明を実施するための形態を説明する。
【実施例１】
【００１５】
図１〜図７は、本発明の第１実施形態である実施例１の封筒付冊子１を説明するもので、図１は、封筒付冊子１の構成を説明するための斜視図、図２は、封筒付冊子１を折り重ねた状態を正面から見た状態を模式的に表した説明図である。図中、１は封筒付冊子、２と３は封筒付冊子１の表紙の表面と裏面、４は表紙の内側に綴じ込まれる用紙、５は封筒、６ａは第１の折り線、６ｂは第２の折り線、８ａ、８ｂは接着剤層である。
【００１６】
図１、図２に示すとおり、封筒付冊子１は、表紙２、表紙３、用紙４及び封筒５から構成される。そして、表紙２、表紙３及び封筒５は、１枚の用紙からなり、表紙２と表紙３は、第１の折り線６ａに沿って折り重ねられ、封筒５は、表紙３を第２の折り線６ｂから延設して形成され、表紙３の内側に折り重ねられている。また、用紙４は、第１の折り線６ａに沿って表紙３上に形成された接着剤層８ａに貼着されている。ここで、封筒５を表紙３の内側に折り重ね、表紙３上に形成された接着剤層８ａに用紙４を貼着し、表紙２を用紙４側に折り重ねて冊子とした場合、図２に示すように、表紙２、表紙３及び用紙４の横幅は、略同一となっている。なお、表紙２、３の表裏面には、各種案内申込書、商品の購入説明書等に使用されるタイトル、サービスや商品の説明文等が印刷されている。
【００１７】
図３は、封筒付冊子１の表紙２を開いた状態の平面図、図４は、図３に示す封筒付冊子１を正面から見た状態を模式的に表した説明図、図５は、表紙２、用紙４及び封筒５を開いた状態の平面図、図６は、図５に示す封筒付冊子１を正面から見た状態を模式的に表した説明図、図７は、図５のＸＸ断面図である。
【００１８】
図３、図４に示すとおり、用紙４は、その左端が第１の折り線６ａに重なるように、表紙３上の接着剤層８ａに貼着されている。また、図５、図６に示すとおり、第２の折り線６ｂから表紙３を延設して形成された封筒５は、表紙３から連続する用紙部分を折り重ねた上面５ａと下面５ｂ、糊代５ｃから構成され、上面５ａの一端５ｄは、第２の折り線６ｂより少し外側に位置している。表紙３には、第２の折り線６ｂと平行にミシン目状の第１の切り取り線７ａが設けられ、この第１の切り取り線７ａと第２の折り線６ｂで仕切られる部分が糊代５ｃとなる。そして、図７に示すように、封筒５の上面５ａと下面５ｂは、長手方向の上端部と下端部において接着剤層８ｂを介して貼着されている。さらに、図３に示すように、用紙４には、接着剤層８ａに重ならない位置に、ミシン目状の第２の切り取り線７ｂが第１の折り線６ａと平行に設けられ、図５に示すように、封筒５の上端部の接着剤層７ｂを介して貼着された部分には、ミシン目状の切り離し線７ｃが設けられている。
【００１９】
ここで、用紙４の第２の切り取り線７ｂより外側部分は、申込書等を形成するための印刷が施され、切り離して申込書等として使用できるようになっている。また、封筒５は、表紙３に設けられた第１の切り取り線７ａより切り離し、さらに、切り離し線７ｃからその外側部分を切り離すことにより、封筒として使用できるようになっており、表面となる下面５ｂには、宛名が印刷されている。そして、用紙４から切り離した申込書等を封筒５の中に入れ、糊代５ｃを折り返して封緘することにより、申込書等を郵送できるようになっている。なお、切り離し線７ｃは、封筒５を定型サイズとするためのものであり、表紙２、３の天地方向（図５における縦方向）の長さが定型サイズの封筒の縦方向の長さを超えた場合に、定型サイズの長さとなる封筒５の位置に切り離し線７ｃが設けられる。
【００２０】
この場合、表紙３において、第１の切り取り線７ａは第２の折り線６ｂに寄った位置に設けられているため、説明文等を掲載するスペースが狭められることはない。また、表紙３の第１の切り取り線７ａから封筒５を切り離しても、表紙３の横幅が表紙２の横幅より極端に短くなることはなく、冊子としての見栄えが損なわれることはない。さらに、切り離した封筒５において、第２の折り線６ｂが糊代５ｃを折り返す折り目となることから、折り目を付けることなく、糊代５ｃを折り返して封筒５の封緘をすることができる。
【００２１】
次に、封筒付冊子１の製造方法を説明する。封筒付冊子１は、連続する１枚の用紙に、印刷、切断、折り、ミシン目、接着剤塗布、貼り合せ等の加工を施すことにより、製造することができる。
【００２２】
図８は、連続する１枚の用紙に施す加工の種類と位置を表した説明図である。図において、Ａは、連続する１枚の用紙であり、Ａｘ１は、用紙の縦方向（進行方向）の切断位置を示す切断予定線、Ａｙ１とＡｙ２は、用紙の横方向（進行方向と直角方向）の切断位置を示す切断予定線、Ａｍ１とＡｍ２は、用紙の縦方向にミシン目を入れる位置を示すミシン目予定線、Ａｍ３は、用紙の横方向にミシン目を入れる位置を示すミシン目予定線、Ａｔ１〜Ａｔ３は、縦方向の折り位置を示す縦折り予定線、Ａｒ１〜Ａｒ３は、接着剤を塗布する領域を示す接着剤塗布予定領域である。
【００２３】
ここで、切断予定線Ａｙ１とＡｙ２の間隔ｐ１が、封筒付冊子１の縦方向の長さとなり、Ａｙ１とＡｙ２で仕切られる領域から１冊の封筒付冊子１が製造される。そして、Ａｙ１とＡｙ２で仕切られる領域のうち、用紙Ａの左端と切断予定線Ａｘ１で仕切られる領域Ａ３が用紙４となり、切断予定線Ａｘ１と縦折り予定線Ａｔ１で仕切られる領域Ａ１が表紙２となり、縦折り予定線Ａｔ１とＡｔ２で仕切られる領域Ａ２が表紙３となり、ミシン目予定線Ａｍ１と用紙Ａの右端で仕切られる領域Ａ４が封筒５となる。また、縦折り予定線Ａｔ１は、第１の折り線６ａとなり、縦折り予定線Ａｔ２は、第２の折り線６ｂとなり、ミシン目予定線Ａｍ１は、第１の切り取り線７ａとなり、ミシン目予定線Ａｍ２は、第２の切り取り線７ｂとなる。
【００２４】
以下、封筒付冊子１の製造方法を具体的に説明する。まず、輪転印刷機（図示せず）の給紙部から巻取状の用紙Ａを繰り出し、その表裏面に所定の印刷を施す。次いで、印刷された用紙Ａは、加工機（図示せず）で、ミシン目予定線Ａｍ１、Ａｍ２及びＡｍ３にミシン目加工が施された後に、切断予定線Ａｘ１で切断される。これによって２分割された用紙Ａの右側部分に対して、接着剤塗布予定領域Ａｒ２とＡｒ３に接着剤が塗布されて接着剤層８ｂが形成される。その後、縦折り予定線Ａｔ３から領域Ａ４の部分が折り重ねられて貼着されて封筒５が形成された後、縦折り予定線Ａｔ２からそれより右側の部分が領域Ａ２の部分に折り重ねられ、さらに、接着剤塗布予定領域Ａｒ１に接着剤が塗布されて接着剤層８ａが形成される。一方、２分割された用紙Ａの左側部分（領域Ａ３の部分）は、その左端（切断予定線Ａｘ１が位置していた側の端縁）が縦折り予定線Ａｔ１と一致するようにして、用紙Ａの領域Ａ２の部分に重ねられて貼着される。その後、用紙Ａの領域Ａ１の部分が、縦折り予定線Ａｔ１から貼着された領域Ａ２の部分に折り重ねられる。最後に、折り重ねられた用紙Ａは、切断予定線Ａｙ１、Ａｙ２で切断されて、封筒付冊子１となる。このようにして、用紙Ａから封筒付冊子１が連続的に製造される。
【実施例２】
【００２５】
図９〜図１５は、本発明の第２実施形態である実施例２の封筒付冊子１１を説明するもので、図９は、封筒付冊子１１の構成を説明するための斜視図、図１０は、封筒付冊子１１を折り重ねた状態を正面から見た状態を模式的に表した説明図である。図中、１１は封筒付冊子、１２と１３は封筒付冊子１１の表紙の表面と裏面、１４は表紙の内側に綴じ込まれる用紙、１５は封筒、１６ａは第１の折り線、１６ｂは第２の折り線、１８ａ、１８ｂは接着剤層である。
【００２６】
図９、図１０に示すとおり、封筒付冊子１１は、表紙１２、表紙１３、用紙１４及び封筒１５から構成される。そして、表紙１２と表紙１３は、１枚の用紙からなり、第１の折り線１６ａに沿って折り重ねられている。封筒１５は、用紙１４を第２の折り線１６ｂから延設して形成され、用紙１４の面に折り重ねられている。また、用紙１４は、第１の折り線１６ａに沿って表紙１３上に形成された接着剤層１８ａに貼着されている。ここで、封筒１５を用紙１４の面に折り重ね、表紙１３上に形成された接着剤層１８ａに用紙１４を貼着し、表紙１２を封筒１５側に折り重ねて冊子とした場合、図１０に示すように、表紙１２、表紙１３及び用紙１４の横幅は、略同一となっている。なお、実施例１の封筒付冊子１と同様に、表紙１２、１３の表裏面には、各種案内申込書、商品の購入説明書等に使用されるタイトル、サービスや商品の説明文等が印刷されている。
【００２７】
図１１は、封筒付冊子１１の表紙１２及び封筒１５を開いた状態の平面図、図１２は、図１１に示す封筒付冊子１１を正面から見た状態を模式的に表した説明図、図１３は、図１１のＹＹ断面図、図１４は、封筒５を折り畳んで用紙４を開いた状態の平面図、図１５は、第１４図に示す封筒付冊子１１を正面から見た状態を模式的に表した説明図である。
【００２８】
図１１、図１２に示すとおり、用紙１４は、その左端が第１の折り線１６ａに重なるように、表紙１３上の接着剤層１８ａに貼着されている。また、第２の折り線１６ｂから用紙１４を延設して形成された封筒１５は、用紙１４から連続する部分を折り重ねた上面１５ａと下面１５ｂ、糊代１５ｃから構成され、上面１５ａの一端１５ｄは、第２の折り線１６ｂより少し外側に位置している。用紙１４には、第２の折り線１６ｂと平行にミシン目状の第１の切り取り線１７ａが設けられ、この第１の切り取り線１７ａと第２の折り線１６ｂで仕切られる部分が糊代１５ｃとなる。そして、図１３に示すように、封筒１５の上面１５ａと下面１５ｂは、長手方向の上端部と下端部において接着剤層１８ｂを介して貼着されている。さらに、図１４に示すように、表紙１３には、接着剤層１８ａに重ならない位置に、ミシン目状の第２の切り取り線１７ｂが第１の折り線１６ａと平行に設けられ、図１１に示すように、封筒１５の上端部の接着剤層１７ｂを介して貼着された部分には、ミシン目状の切り離し線１７ｃが設けられている。
【００２９】
ここで、表紙１３の第２の切り取り線１７ｂより外側部分は、申込書等を形成するための印刷が施され、切り離して申込書等として使用できるようになっている。また、封筒１５は、用紙１４に設けられた第１の切り取り線１７ａより切り離し、さらに、切り離し線１７ｃからその外側部分を切り離すことにより、封筒として使用できるようになっており、表面となる下面１５ｂには、宛名が印刷されている。そして、表紙１３から切り離した申込書等を封筒１５の中に入れ、糊代１５ｃを折り返して封緘することにより、申込書等を郵送できるようになっている。なお、切り離し線１７ｃは、実施例１の封筒５に設けられた切り離し線７ｃと同様に、封筒１５を定型サイズとするためのものである。
【００３０】
この場合、用紙１４において、第１の切り取り線１７ａは第２の折り線１６ｂに寄った位置に設けられているため、説明文等を掲載するスペースが狭められることはない。また、用紙１４の第１の切り取り線１７ａから封筒１５を切り離しても、用紙１４の横幅が表紙１２、１３の横幅より極端に短くなることはなく、冊子としての見栄えが損なわれることはない。さらに、切り離した封筒１５において、第２の折り線１６ｂが糊代１５ｃを折り返す折り目となることから、折り目を付けることなく、糊代１５ｃを折り返して封筒１５の封緘をすることができる。
【００３１】
次に、封筒付冊子１１の製造方法を説明する。封筒付冊子１１は、実施例１の封筒付冊子１と同様に、連続する１枚の用紙に、印刷、切断、折り、ミシン目、接着剤塗布、貼り合せ等の加工を施すことにより、製造することができる。
【００３２】
図１６は、連続する１枚の用紙に施す加工の種類と位置を表した説明図である。図において、Ｂは、連続する１枚の用紙であり、Ｂｘ１は、用紙の縦方向（進行方向）の切断位置を示す切断予定線、Ｂｙ１とＢｙ２は、用紙の横方向（進行方向と直角方向）の切断位置を示す切断予定線、Ｂｍ１とＢｍ２は、用紙の縦方向にミシン目を入れる位置を示すミシン目予定線、Ｂｍ３は、用紙の横方向にミシン目を入れる位置を示すミシン目予定線、Ｂｔ１〜Ｂｔ３は、縦方向の折り位置を示す縦折り予定線、Ｂｒ１〜Ｂｒ３は、接着剤を塗布する領域を示す接着剤塗布予定領域である。
【００３３】
ここで、切断予定線Ｂｙ１とＢｙ２の間隔ｐ２が、封筒付冊子１１の縦方向の長さとなり、Ｂｙ１とＢｙ２で仕切られる領域から１冊の封筒付冊子１１が製造される。そして、Ｂｙ１とＢｙ２で仕切られる領域のうち、用紙Ｂの左端と縦折り予定線Ｂｔ１で仕切られる領域Ｂ１が表紙１２となり、縦折り予定線Ｂｔ１と切断予定線Ｂｘ１で仕切られる領域Ｂ２が表紙１３となり、切断予定線Ｂｘ１と縦折り予定線Ｂｔ２で仕切られる領域Ｂ３が用紙１４となり、ミシン目予定線Ｂｍ１と用紙Ｂの右端で仕切られる領域Ｂ４が封筒１５となる。また、縦折り予定線Ｂｔ１は、第１の折り線１６ａとなり、縦折り予定線Ｂｔ２は、第２の折り線１６ｂとなり、ミシン目予定線Ｂｍ１は、第１の切り取り線１７ａとなり、ミシン目予定線Ｂｍ２は、第２の切り取り線１７ｂとなる。
【００３４】
以下、封筒付冊子１１の製造方法を具体的に説明する。まず、輪転印刷機（図示せず）の給紙部から巻取状の用紙Ｂを繰り出し、その表裏面に所定の印刷を施す。次いで、印刷された用紙Ｂは、加工機（図示せず）で、ミシン目予定線Ｂｍ１、Ｂｍ２及びＢｍ３にミシン目加工が施された後に、切断予定線Ｂｘ１で切断される。これによって２分割された用紙Ｂの右側部分に対して、接着剤塗布予定領域Ｂｒ２とＢｒ３に接着剤が塗布されて接着剤層１８ｂが形成される。その後、縦折り予定線Ｂｔ３から領域Ｂ４の部分が折り重ねられて貼着されて封筒１５が形成され、ミシン目予定線Ｂｍ３にミシン目加工が施された後、縦折り予定線Ｂｔ２からそれより右側の部分が領域Ｂ３の部分に折り重ねられる。一方、２分割された用紙Ｂの左側部分（領域Ｂ１とＢ２の部分）においては、接着剤塗布予定領域Ｂｒ１に接着剤が塗布されて接着剤層１８ａが形成される。そして、２分割された用紙Ｂの右側部分の左端（切断予定線Ｂｘ１が位置していた側の端縁）が縦折り予定線Ｂｔ１と一致するようにして、２分割された用紙Ｂの右側部分と左側部分が重ねられて貼着される。その後、用紙Ｂの領域Ｂ１の部分が、縦折り予定線Ｂｔ１から貼着された領域Ｂ３（Ｂ４）の部分に折り重ねられる。最後に、折り重ねられた用紙Ｂは、切断予定線Ｂｙ１、Ｂｙ２で切断されて、封筒付冊子１１となる。このようにして、用紙Ｂから封筒付冊子１１が連続的に製造される。
【実施例３】
【００３５】
図１７〜図２３は、本発明の第３実施形態である実施例３の封筒付冊子２１を説明するもので、図１７は、封筒付冊子２１の構成を説明するための斜視図、図１８は、封筒付冊子２１を折り重ねた状態を正面から見た状態を模式的に表した説明図である。図中、２１は封筒付冊子、２２と２３は封筒付冊子２１の表紙の表面と裏面、２４ａ〜２４ｃは表紙の内側に綴じ込まれる用紙、２５は封筒、２６ａは第１の折り線、２６ｂは第２の折り線、２８ａ、２８ｂは接着剤層、２９ａは第３の折り線である。
【００３６】
図１７、図１８に示すとおり、封筒付冊子２１は、表紙２２、表紙２３、用紙２４ａ、用紙２４ｂ、用紙２４ｃ及び封筒２５から構成される。そして、表紙２２、表紙２３及び封筒２５は、１枚の用紙からなり、表紙２２と表紙２３は、第１の折り線２６ａに沿って折り重ねられ、封筒２５は、表紙２３を第２の折り線２６ｂから延設して形成され、表紙２３の内側に折り重ねられている。また、用紙２４ａ〜２４ｃは連続しており、用紙２４ｃは折り線２９ｂに沿って用紙２４ｂに折り重ねられ、その上に用紙２４ａが第３の折り線２９ａに沿って折り重ねられている。このうちの用紙２４ｂは、第１の折り線２６ａに沿って表紙２３上に形成された接着剤層２８ａに貼着されている。ここで、封筒２５を表紙２３の内側に折り重ね、表紙２３上に形成された接着剤層２８ａに用紙２４ｂを貼着し、表紙２２を用紙２４ａ側に折り重ねて冊子とした場合、図１８に示すように、表紙２２、表紙２３、用紙２４ａ及び用紙２４ｂの横幅は、略同一となっている。なお、表紙２２、２３の表裏面には、各種案内申込書、商品の購入説明書等に使用されるタイトル、サービスや商品の説明文等が印刷されている。
【００３７】
図１９は、封筒付冊子２１の表紙２２、用紙２４ａ及び用紙２４ｃとを開いた状態の平面図、図２０は、図１９に示す封筒付冊子２１を正面から見た状態を模式的に表した説明図、図２１は、表紙２２、用紙２４ｂ、２４ｃ及び封筒２５を開いた状態の平面図、図２２は、図２１に示す封筒付冊子２１を正面から見た状態を模式的に表した説明図、図２３は、図２１のＺＺ断面図である。
【００３８】
図１９、図２０に示すとおり、用紙２４ｂは、その左端となる第３の折り線２９ａが第１の折り線２６ａに重なるように、表紙２３上の接着剤層２８ａに貼着されている。また、図２１、図２２に示すとおり、第２の折り線２６ｂから表紙２３を延設して形成された封筒２５は、表紙２３から連続する用紙部分を折り重ねた上面２５ａと下面２５ｂ、糊代２５ｃから構成され、上面２５ａの一端２５ｄは、第２の折り線２６ｂより少し外側に位置している。表紙２３には、第２の折り線２６ｂと平行にミシン目状の第１の切り取り線２７ａが設けられ、この第１の切り取り線２７ａと第２の折り線２６ｂで仕切られる部分が糊代２５ｃとなる。そして、図２３に示すように、封筒２５の上面２５ａと下面２５ｂは、長手方向の上端部と下端部において接着剤層２８ｂを介して貼着されている。さらに、図１９に示すように、用紙２４ｂには、接着剤層２８ａに重ならない位置に、ミシン目状の第２の切り取り線２７ｂが第１の折り線２６ａと平行に設けられている。
【００３９】
ここで、用紙２４ｂの第２の切り取り線２７ｂより外側部分及び用紙２４ｃは、申込書等を形成するための印刷が施され、切り離して申込書等として使用できるようになっている。また、封筒２５は、表紙２３に設けられた第１の切り取り線２７ａより切り離すことにより、封筒として使用できるようになっており、表面となる下面２５ｂには、宛名が印刷されている。そして、用紙２４ｂから切り離した申込書等を封筒２５の中に入れ、糊代２５ｃを折り返して封緘することにより、申込書等を郵送できるようになっている。なお、封筒２５には、実施例１の封筒５の切り離し線７ｃのような切り離し線が設けられていないが、これは、表紙２２、２３の天地方向（図２１における縦方向）の長さが定型サイズの封筒の縦方向の長さを超えないためであり、これが、定型サイズの封筒の縦方向の長さを超える場合は、封筒５の切り離し線７ｃと同様の切り離し線が設けられる。
【００４０】
この場合、表紙２３において、第１の切り取り線２７ａは第２の折り線２６ｂに寄った位置に設けられているため、説明文等を掲載するスペースが狭められることはない。また、表紙２３の第１の切り取り線２７ａから封筒２５を切り離しても、表紙２３の横幅が表紙２２の横幅より極端に短くなることはなく、冊子としての見栄えが損なわれることはない。さらに、切り離した封筒２５において、第２の折り線２６ｂが糊代２５ｃを折り返す折り目となることから、折り目を付けることなく、糊代２５ｃを折り返して封筒２５の封緘をすることができる。
【００４１】
次に、封筒付冊子２１の製造方法を説明する。封筒付冊子２１は、実施例１、２の封筒付冊子１、１１と同様に、連続する１枚の用紙に、印刷、切断、折り、ミシン目、接着剤塗布、貼り合せ等の加工を施すことにより、製造することができる。
【００４２】
図２４は、連続する１枚の用紙に施す加工の種類と位置を表した説明図である。図において、Ｃは、連続する１枚の用紙であり、Ｃｘ１は、用紙の縦方向（進行方向）の切断位置を示す切断予定線、Ｃｙ１とＣｙ２は、用紙の横方向（進行方向と直角方向）の切断位置を示す切断予定線、Ｃｍ１とＣｍ２は、用紙の縦方向にミシン目を入れる位置を示すミシン目予定線、Ｃｔ１〜Ｃｔ５は、縦方向の折り位置を示す縦折り予定線、Ｃｒ１〜Ｃｒ３は、接着剤を塗布する領域を示す接着剤塗布予定領域である。
【００４３】
ここで、切断予定線Ｃｙ１とＣｙ２の間隔ｐ３が、封筒付冊子２１の縦方向の長さとなり、Ｃｙ１とＣｙ２で仕切られる領域から１冊の封筒付冊子２１が製造される。そして、Ｃｙ１とＣｙ２で仕切られる領域のうち、用紙Ｃの左端と縦折り予定線Ｃｔ５で仕切られる領域Ｃ３が用紙２４ａとなり、縦折り予定線Ｃｔ５とＣｔ４で仕切られる領域Ｃ４が用紙２４ｂとなり、縦折り予定線Ｃｔ４と切断予定線Ｃｘ１で仕切られる領域Ｃ５が用紙２４ｃとなり、切断予定線Ｃｘ１と縦折り予定線Ｃｔ１で仕切られる領域Ｃ１が表紙２２となり、縦折り予定線Ｃｔ１とＣｔ２で仕切られる領域Ｃ２が表紙２３となり、ミシン目予定線Ｃｍ１と用紙Ｃの右端で仕切られる領域Ｃ６が封筒２５となる。また、縦折り予定線Ｃｔ１は、第１の折り線２６ａとなり、縦折り予定線Ｃｔ２は、第２の折り線２６ｂとなり、縦折り予定線Ｃｔ５は、第３の折り線２９ａとなり、ミシン目予定線Ｃｍ１は、第１の切り取り線２７ａとなり、ミシン目予定線Ｃｍ２は、第２の切り取り線２７ｂとなる。
【００４４】
以下、封筒付冊子２１の製造方法を具体的に説明する。まず、輪転印刷機（図示せず）の給紙部から巻取状の用紙Ｃを繰り出し、その表裏面に所定の印刷を施す。次いで、印刷された用紙Ｃは、加工機（図示せず）で、ミシン目予定線Ｃｍ１及びＣｍ２にミシン目加工が施された後に、切断予定線Ｃｘ１で切断される。これによって２分割された用紙Ｃの右側部分に対して、接着剤塗布予定領域Ｃｒ２とＣｒ３に接着剤が塗布されて接着剤層２８ｂが形成される。その後、縦折り予定線Ｃｔ３から領域Ｃ６の部分が折り重ねられて貼着されて封筒２５が形成された後、それより右側の部分が領域Ｃ２の部分に折り重ねられ、さらに、接着剤塗布予定領域Ｃｒ１に接着剤が塗布されて接着剤層２８ａが形成される。一方、２分割された用紙Ｃの左側部分（領域Ｃ３〜Ｃ５の部分）は、縦折り予定線Ｃｔ４から領域Ｃ５の部分が領域Ｃ４の部分に折り重ねられ、縦折り予定線Ｃｔ５が縦折り予定線Ｃｔ１と一致するようにして、前記２分割された用紙Ｃの右側部分（封筒２５が縦折り予定線Ｃｔ２から折り重ねられ、接着剤層２８ａが形成された部分）に重ねられて貼着される。このようにして上下に重ねられた用紙Ｃの右側部分と左側部分は、縦折り予定線Ｃｔ１及びＣｔ５から領域Ｃ３の部分が領域Ｃ４（Ｃ５）の部分に重なるように同じ方向に同時に折り重ねられる。最後に、折り重ねられた用紙Ｃは、切断予定線Ｃｙ１、Ｃｙ２で切断されて、封筒付冊子２１となる。このようにして、用紙Ｃから封筒付冊子２１が連続的に製造される。
【産業上の利用可能性】
【００４５】
本発明に係る封筒付冊子は、金融、保険サービス等の案内申込書、商品等の購入説明書等の各種パンフレットに利用することができる。
【符号の説明】
【００４６】
１  封筒付冊子
２、３  表紙
４  用紙
５  封筒
５ａ  上面
５ｂ  下面
５ｃ  糊代
６ａ  第１の折り線
６ｂ  第２の折り線
７ａ  第１の切り取り線
７ｂ  第２の切り取り線
７ｃ  切り離し線
８ａ、８ｂ  接着剤層
１１  封筒付冊子
１２、１３  表紙
１４  用紙
１５  封筒
１５ａ  上面
１５ｂ  下面
１５ｃ  糊代
１６ａ  第１の折り線
１６ｂ  第２の折り線
１７ａ  第１の切り取り線
１７ｂ  第２の切り取り線
１７ｃ  切り離し線
１８ａ、１８ｂ  接着剤層
２１  封筒付冊子
２２、２３  表紙
２４ａ、２４ｂ、２４ｃ  用紙
２５  封筒
２５ａ  上面
２５ｂ  下面
２５ｃ  糊代
２６ａ  第１の折り線
２６ｂ  第２の折り線
２７ａ  第１の切り取り線
２７ｂ  第２の切り取り線
２８ａ、２８ｂ  接着剤層
２９ａ  第３の折り線
Ａ  連続する１枚の用紙
Ａｘ１、Ａｙ１、Ａｙ２  切断予定線
Ａｍ１、Ａｍ２、Ａｍ３  ミシン目予定線
Ａｔ１、Ａｔ２、Ａｔ３  縦折り予定線
Ａｒ１、Ａｒ２、Ａｒ３  接着剤塗布予定領域
Ｂ  連続する１枚の用紙
Ｂｘ１、Ｂｙ１、Ｂｙ２  切断予定線
Ｂｍ１、Ｂｍ２、Ｂｍ３  ミシン目予定線
Ｂｔ１、Ｂｔ２、Ｂｔ３  縦折り予定線
Ｂｒ１、Ｂｒ２、Ｂｒ３  接着剤塗布予定領域
Ｃ  連続する１枚の用紙
Ｃｘ１、Ｃｙ１、Ｃｙ２  切断予定線
Ｃｍ１、Ｃｍ２  ミシン目予定線
Ｃｔ１、Ｃｔ２、Ｃｔ３、Ｃｔ４、Ｃｔ５  縦折り予定線
Ｃｒ１、Ｃｒ２、Ｃｒ３  接着剤塗布予定領域
【図１】
2015100928.tif 000003
【図２】
2015100928.tif 000004
【図３】
2015100928.tif 000005
【図４】
2015100928.tif 000006
【図５】
2015100928.tif 000007
【図６】
2015100928.tif 000008
【図７】
2015100928.tif 000009
【図８】
2015100928.tif 000010
【図９】
2015100928.tif 000011
【図１０】
2015100928.tif 000012
【図１１】
2015100928.tif 000013
【図１２】
2015100928.tif 000014
【図１３】
2015100928.tif 000015
【図１４】
2015100928.tif 000016
【図１５】
2015100928.tif 000017
【図１６】
2015100928.tif 000018
【図１７】
2015100928.tif 000019
【図１８】
2015100928.tif 000020
【図１９】
2015100928.tif 000021
【図２０】
2015100928.tif 000022
【図２１】
2015100928.tif 000023
【図２２】
2015100928.tif 000024
【図２３】
2015100928.tif 000025
【図２４】
2015100928.tif 000026
【図２５】
2015100928.tif 000027
【図２６】
2015100928.tif 000028
【図２７】
2015100928.tif 000029
【図２８】
2015100928.tif 000030